(57)【要約】【課題】製品の設計に応じて前方又は後方のいずれからでも取り付けることが可能であり、部品の共通化による新製品の迅速な供給とコスト削減とを図ることができるシリンダ錠を提供する。【解決手段】鍵孔及び錠構造を有する金属製のシリンダ錠本体３０と、このシリンダ錠本体３０を内部に収納する金属製の外筒２０と、この外筒２０の前端側に装着可能な合成樹脂製のアダプタ３０とを備え、外筒２０の前端側には、小径の突縁部２１と、大径の当接部２２とを段差状に連成し、アダプタ１０には、外筒２０の突縁部２１及び当接部２２の外側を覆う大径の意匠部１１と、外筒２０に係合する小径の係合部１２とを段差状に連成した構成としてある。【選択図】図２
2011094410.tif 000002
【特許請求の範囲】
【請求項１】
施錠対象物を構成する板部材に選択的に設けた大小いずれかの開口部に取り付けられるシリンダ錠であって、
鍵孔及び錠構造を有する金属製のシリンダ錠本体と、このシリンダ錠本体を内部に収納する金属製の外筒と、この外筒の前端側に装着可能な合成樹脂製のアダプタとを備え、
前記外筒の前端側には、小径の突縁部と、大径の当接部とを段差状に連成し、
前記アダプタには、前記外筒の突縁部及び当接部の外側を覆う意匠部と、前記外筒に係合する係合部とを連成し、
前記板部材に、前記外筒の突縁部に対応する小径開口部、又は前記アダプタの係合部に対応する大径開口部のいずれかを設け、
前記小径開口部を設けた場合は、前記外筒の突縁部を前記小径開口部に後方から挿入し、前記板部材の裏面に前記当接部を当接させ、一方、前記大径開口部を設けた場合は、前記外筒に前記アダプタを装着し、前記アダプタの係合部を前記大径開口部に前方から挿入し、前記板部材の表面に前記意匠部を当接させることを特徴とするシリンダ錠。
【請求項２】
前記アダプタの係合部が、前記外筒の胴部の外側に被着可能な弾性被着部を有し、この弾性被着部の内側と、前記外筒の胴部の外側とのいずれか一方に横方向に延びる角リブを突設し、他方にこの角リブと係合する横方向に延びる角溝を形成した請求項１記載のシリンダ錠。
【請求項３】
前記アダプタの意匠部が、前記外筒の当接部の外形に嵌合する環状溝を有する請求項１又は２記載のシリンダ錠。
【請求項４】
前記アダプタの意匠部を係合部よりも大径にし、これら意匠部と係合部とを段差状に連成するとともに、前記係合部の外周に、前記意匠部と近接する係合爪を突設し、前記シリンダ錠を前記大径開口部に挿入したとき、前記アダプタの意匠部と係合爪との間に前記板部材が挟持される請求項１〜３いずれか記載のシリンダ錠。
【発明の詳細な説明】
【技術分野】
【０００１】
本発明は、例えば、事務机、ラック、書庫、ロッカー等の鋼板製のオフィス家具に好適なシリンダ錠に関し、特に、これら施錠対象物を構成する板部材に対し、前方又は後方のいずれからでも取り付け可能なシリンダ錠に関する。
【背景技術】
【０００２】
従来のシリンダ錠は、主として、鍵孔及び錠構造を有する金属製のシリンダ錠本体と、このシリンダ錠本体を内部に収納する金属製の外筒とを備えた構成となっており、例えば、自動車のドアパネル、ＡＴＭなどの電子機器の筐体、事務机やラックなどのオフィス家具等に広く用いられている。
【０００３】
このようなシリンダ錠は、施錠対象物を構成する板部材に設けた開口部に取り付けられていた。ここで、従来のシリンダ錠には、板部材の前方から開口部に挿入して取り付けるタイプ（前方取付型）と、板部材の後方から開口部に挿入して取り付けるタイプ（後方取付型）との２種類があり、施錠対象物の構造やデザインなどに応じて、いずれか一方のタイプのシリンダ錠を選択して適用していた。
【０００４】
前方取付型のシリンダ錠として、例えば、特開平７−２３８７１９号公報（特許文献１）の図１及び２には、ケース（外筒）２の前端側に大径のフランジ部８を設けたシリンダ錠１が開示されている。このシリンダ錠１は、車両のドアパネル５にケース２とほぼ同径の開口部を設け、この開口部に前方からケース２を挿入する構成となっている。開口部の前方からケース２を挿入すると、フランジ部８がドアパネル５の表面に当接し、開口部を覆い隠す。その他の前方取付型のシリンダ錠として、例えば、特開２００５−１４６７５９号公報（特許文献２）、特開２００７−４６３４７号公報（特許文献３）及び実開昭６３−５４７４８号公報（特許文献４）において開示されているものがある。
【０００５】
後方取付型のシリンダ錠として、例えば、特開平７−２５９４００号公報（特許文献５）の図１には、ロータケース（外筒）２１の前端側に大径の当接部を連成したシリンダ錠装置が開示されている。このシリンダ錠装置は、ロータケース２１の当接部よりも直径の小さい開口部を車両のパネルに設け、このパネルの裏側から当接部を開口部に当接させて取り付ける。その他の後方取付型のシリンダ錠として、例えば、特開平８−１８４２２６号公報（特許文献６）、実開平４−１１９０７０号（特許文献７）において開示されているものがある。
【先行技術文献】
【特許文献】
【０００６】
【特許文献１】特開平７−２３８７１９号公報
【特許文献２】特開２００５−１４６７５９号公報
【特許文献３】特開２００７−４６３４７号公報
【特許文献４】実開昭６３−５４７４８号公報
【特許文献５】特開平７−２５９４００号公報
【特許文献６】特開平８−１８４２２６号公報
【特許文献７】実開平４−１１９０７０号公報
【発明の概要】
【発明が解決しようとする課題】
【０００７】
しかし、従来のシリンダ錠は、前方取付型と後方取付型とで構造が異なり、常に２つのタイプのシリンダ錠を用意しなければならないという問題があった。一般に、工業製品を製造する場合は、シリンダ錠などの付属部品を考慮せずに製品全体の設計を行い、その後、この設計に応じてシリンダ錠などの付属部品を選択することが行われている。設計された製品の構造やデザインの関係上、前方取付型又は後方取付型いずれか一方のシリンダ錠しか適用することができない場合が多々ある。
【０００８】
例えば、製品の構造上、板部材の裏面側にスペースを確保することが困難な場合は、後方取付型のシリンダ錠を用いることはできない。一方、製品のデザインや安全上、板部材の表面側に突出物を設けることが好ましくない場合は、前方取付型のシリンダ錠を用いることはできない。このため、メーカは、常に２つのタイプのシリンダ錠を用意しなければならず、１つのタイプのシリンダ錠で、設計の異なる種々製品に対応することはできなかった。
【０００９】
特に、顧客の多様なニーズに応じて、多様な製品ラインアップを求められる分野、例えば、オフィス家具の分野では、事務机、ラック、書庫、ロッカー等の種々製品が、顧客の多様なニーズに応じてそれぞれ多様化しており、これら製品の全てにシリンダ錠が用いられており、シリンダ錠の共通化を図ることができれば、新製品の迅速な供給とコスト削減とを図ることができる。
【００１０】
本発明は、上記問題点に鑑みてなされたものであり、製品の設計に応じて前方又は後方のいずれからでも取り付けることが可能であり、部品の共通化による新製品の迅速な供給とコスト削減とを図ることができるシリンダ錠の提供を目的とする。
【課題を解決するための手段】
【００１１】
上記目的を達成するために、本発明のシリンダ錠は、施錠対象物を構成する板部材に選択的に設けた大小いずれかの開口部に取り付けられるシリンダ錠であって、鍵孔及び錠構造を有する金属製のシリンダ錠本体と、このシリンダ錠本体を内部に収納する金属製の外筒と、この外筒の前端側に装着可能な合成樹脂製のアダプタとを備え、前記外筒の前端側には、小径の突縁部と、大径の当接部とを段差状に連成し、前記アダプタには、前記外筒の突縁部及び当接部の外側を覆う意匠部と、前記外筒に係合する係合部とを連成し、前記板部材に、前記外筒の突縁部に対応する小径開口部、又は前記アダプタの係合部に対応する大径開口部のいずれかを設け、前記小径開口部を設けた場合は、前記外筒の突縁部を前記小径開口部に後方から挿入し、前記板部材の裏面に前記当接部を当接させ、一方、前記大径開口部を設けた場合は、前記外筒に前記アダプタを装着し、前記アダプタの係合部を前記大径開口部に前方から挿入し、前記板部材の表面に前記意匠部を当接させる構成としてある。
【００１２】
このような構成からなる本発明のシリンダ錠では、シリンダ錠本体を収納する外筒に、板部材の裏面に当接する当接部を設けるとともに、この当接部に装着可能なアダプタに、板部材の表面に当接する意匠部を設けたことにより、アダプタの装着時には前方取付型、アダプタの非装着時には後方取付型のシリンダ錠として用いることができる。この結果、多様化する種々の製品に本シリンダ錠を適用することが可能となり、シリンダ錠の共通化を図ることができる。
【００１３】
また、アダプタの意匠部は、板部材の表面に視認可能に配設され、シリンダ錠本体の前面とともに本シリンダ錠の外観を構成する。本発明では、アダプタを合成樹脂製としたことにより、金属製のシリンダ錠本体と相俟って、本シリンダ錠の外観を斬新なものとすることができる。
【００１４】
好ましくは、  前記アダプタの係合部が、前記外筒の胴部の外側に被着可能な弾性被着部を有し、この弾性被着部の内側と、前記外筒の胴部の外側とのいずれか一方に横方向に延びる角リブを突設し、他方にこの角リブと係合する横方向に延びる角溝を形成した構成とする。
【００１５】
上記構成によれば、横方向に延びる角リブと角溝とを係合させるというシンプルな構成でありながら、アダプタと外筒とを強固に結合させると同時に、アダプタの回り止めの役割を果たし、アダプタ及び外筒の一体化を図ることができる。
【００１６】
好ましくは、前記アダプタの意匠部が、前記外筒の当接部の外形に嵌合する環状溝を有する構成とする。
【００１７】
上記構成によれば、外筒の当接部をアダプタとの結合手段に利用することができ、本シリンダ錠の構成をより簡単にすることが可能となる。また、本環状溝、上記角リブ及び角溝を並設した場合は、アダプタと外筒との結合力が極めて大きくなり、金属製の外筒の前端側に金属製のフランジ等を一体的に設けた従来の前方取付型のシリンダ錠と構造上の相違がほとんどなくなる。特に、合成樹脂製のアダプタにメッキ処理を施した場合は、従来の前方取付型のシリンダ錠と外観上の相違もなくなる。
【００１８】
この結果、本シリンダ錠は、前方取付型及び後方取付型のいずれの用途に適用した場合でも、構造、機能及び外観のいずれも従来の金属製のシリンダ錠と劣るところがないばかりか、アダプタを除く主要部品の共通化を図ることができ、アダプタを用いる場合は、合成樹脂の加工容易性により、構造及び外観の自由度が大幅に向上するという顕著な作用効果を奏する。
【００１９】
好ましくは、前記アダプタの意匠部を係合部よりも大径にし、これら意匠部と係合部とを段差状に連成するとともに、前記係合部の外周に、前記意匠部と近接する係合爪を突設し、前記シリンダ錠を前記大径開口部に挿入したとき、前記アダプタの意匠部と係合爪との間に前記板部材が挟持される構成とする。
【００２０】
上記構成によれば、合成樹脂製のアダプタに係合爪を一体成形するだけで、本シリンダ錠を施錠対象物の開口部に極めて容易に固定することができ、従来の前方取付型のシリンダ錠のように、板部材の裏側でシリンダ錠を別部品により保持する必要がなくなり、構成の簡単化と、取付作業の容易化とを図ることができる。
【発明の効果】
【００２１】
本発明のシリンダ錠によれば、製品の設計に応じて前方又は後方のいずれからでも取り付けることが可能となり、部品の共通化による新製品の迅速な供給とコスト削減とを図ることができる。また、アダプタを用いる場合は、合成樹脂の加工容易性により、構造及び外観の自由度が大幅に向上する。
【図面の簡単な説明】
【００２２】
【図１】本発明の一実施形態に係るシリンダ錠を示す斜視図である。
【図２】本シリンダ錠からアダプタを外した状態を示す斜視図である。
【図３】上記アダプタを示すものであり、同図（ａ）は前方視斜視図、同図（ｂ）は後方視斜視図、同図（ｃ）は同図（ａ）のＡ−Ａ線断面図である。
【図４】本シリンダ錠を構成する外筒及びシリンダ錠本体の断面図である。
【図５】上記アダプタの装着手順を示すものであり、同図（ａ）は装着前の側面図、同図（ｂ）は装着後の部分断面図である。
【図６】上記アダプタ装着後の本シリンダ錠と、引出しの鏡板とを示す斜視図である。
【図７】本シリンダ錠を前方取付する場合の手順を示すものであり、同図（ａ）は取付前のＢ−Ｂ線部分断面図、同図（ｂ）は取付後のＢ−Ｂ線部分断面図、同図（ｃ）は取付後のＣ−Ｃ線部分断面図である。
【図８】同図（ａ）及び（ｂ）は上記シリンダ錠を後方取付型として用いる場合の取付手順を示す説明図である。
【図９】アダプタの第２実施形態を示すものであり、同図（ａ）は前方視斜視図、同図（ｂ）は後方視斜視図である。
【図１０】アダプタの第３実施形態を示すものであり、同図（ａ）は前方視斜視図、同図（ｂ）は後方視斜視図である。
【図１１】アダプタの第４実施形態を示すものであり、同図（ａ）は前方視斜視図、同図（ｂ）は後方視斜視図、同図（ｃ）は同図（ａ）のＤ−Ｄ線断面図である。
【発明を実施するための形態】
【００２３】
以下、本発明の一実施形態に係るシリンダ錠について図１〜７を参照しつつ説明する。
【００２４】
図１及び図２において、本実施形態に係るシリンダ錠１は、合成樹脂製のアダプタ１０と、このアダプタ１０が選択的に装着される金属製の外筒２０と、この外筒２０内に収納されたシリンダ錠本体３０からなっている。このような本シリンダ錠１は、施錠対象物を構成する板部材、例えば、オフィス家具などの鋼製の扉、引出しの鏡板に設けた開口部の前方又は後方いずれにも取り付けることができる（本実施形態では、施錠対象物を構成する板部材として「引出しの鏡板２（図６参照）」を例示する。）。
【００２５】
すなわち、板部材の前方に本シリンダ錠１を取り付ける場合は、この板部材にアダプタ１０に対応する大径の開口部を設け、この大径の開口部にアダプタ１０を外筒２０に装着した状態の本シリンダ錠１を挿入し、アダプタ１０を大径の開口部に係合させる。一方、板部材の後方に本シリンダ錠１を取り付ける場合は、この板部材に外筒２０に対応する小径の開口部を設け、この小径の開口部に外筒２０の前端部を挿入した状態で、本シリンダ錠１を別部材の保持手段で固定する。以下、本シリンダ錠１を構成するアダプタ１０、外筒２０及びシリンダ錠本体３０について詳述する。
【００２６】
[アダプタ]
図３（ａ）〜（ｃ）に示すように、アダプタ１０は、主として、テーパー環状の意匠部１１に、外筒１０との係合部である上下一対の弾性被着部１２、１２を一体成形した構成となっている。
【００２７】
意匠部１１は、本シリンダ錠１を前方取付した際に、その環状端面１１ａが施錠対象物を構成する板部材の開口部周辺に当接し、ストッパの役割を果たす。また、この意匠部１１は、施錠対象物に前方取付した本シリンダ錠１の外観を構成する重要な部分であり、合成樹脂製としたことによって形状、色彩、模様、質感などの外観構成要素を自由にデザインすることが可能である。
【００２８】
本実施形態では、意匠部１１の形状をテーパー環状としたが、意匠部１１の形状はこれに限定されるものではない。また、意匠部１１は、合成樹脂自体の色彩や質感をそのまま利用して、金属製の外筒２０及びシリンダ錠本体３０と外観上の相違を持たせてもよい。又は意匠部１１の表面をメッキ処理して、金属製の外筒２０及びシリンダ錠本体３０と色彩や質感の相違をなくしてもよい。さらに、意匠部１１の表面に線図、色分け、凹凸等の模様を施すこともできる。
【００２９】
意匠部１１の前端側の内形は、外筒２０の前端側の外形とほぼ等しく、外筒２０の突縁部２１に対応する小径の前端開口１１ｂと、外筒２０の当接部２２に対応する大径の環状溝１１ｃとが段差状に連続している。アダプタ１０を外筒２０の前端側に装着すると、外筒２０の突縁部２１が、アダプタ１０の前端開口１１ａに挿入され、両者の前端面が面一となり、これと同時に、外筒２０の当接部２２が、アダプタ１０の環状溝１１ｃに嵌合する。
【００３０】
一方、弾性被着部１２、１２は、外筒２０の胴部２３の外径とほぼ等しい内径の略円筒を二分割した断面略半円形となっており、各弾性被着部１２が、外筒２０の胴部２３の略上半分又は略下半分に弾性的に被着する構成となっている。
【００３１】
各弾性被着部１２は、共に同一構成であり、各弾性被着部１２の内面の後端側には、横方向（図３（ｂ）において、弾性被着部１２の長手方向と水平に直交する方向）に延びる上下一対の角リブ１２ａ、１２ａが突設してある。また、各弾性被着部１２の外面の両端側には、意匠部１１の環状端面１１ａに近接する係合爪１２ｂ、１２ｂ及び１２ｂ、１２ｂがそれぞれ突設してある。さらに、各弾性被着部１２の頂部には、四角形状の係合凹部１２ｃ、１２ｃがそれぞれ形成してある。上述した角リブ１２ａは、アダプタ１０を外筒２０に結合させるためのものであり、係合爪１２ｂ及び係合凹部１２ｃは、アダプタ１０を引出しの鏡板２（図６参照）に取り付けるためのものである。これら部材どうしの係合構造及び取付手順については、後に詳述する。
【００３２】
[外筒]
図２及び図４に示すように、外筒２０は、シリンダ錠本体３０を内部に収納する略円筒状の金属製ケースである。外筒２０は、主として、円筒本体である胴部２３の前端側に、小径の突縁部２１と大径の当接部２２とを段差状に連成した構成となっている。これら図面に示す外筒２０とシリンダ錠本体３０との組立体は、後方取付型のシリンダ錠１として使用することができ、この場合、引出しの鏡板２には、突縁部２１と同径の小径開口部２Ｂ（図８（ａ）及び（ｂ）参照）を設ける。この小径開口部２Ｂに外筒２０の突縁部２１を挿入ないし一致させると、当接部２２の前端面が小径開口部２Ｂ周辺の鏡板２に当接する。
【００３３】
ここで、突縁部２１の前方への突出量は、少なくとも引出しの鏡板２の板厚以上とし、突縁部２１を小径開口部２Ｂに掛止可能とする。これにより、外筒２０とシリンダ錠本体３０との組立体を、小径開口部２Ｂに対して位置決めすることができる。
【００３４】
外筒２０の胴部２３は、円筒の上部及び下部をそれぞれ長手方向に延びる平面にした外形となっており、各平面のほぼ中間には、横方向（図２において、胴部２３の長手方向と水平に直交する方向）に延びる角溝２３ａ、２３ａが形成してある。上述したように、各角溝２３ａには、アダプタ１０の各角リブ１２ａがそれぞれ嵌合する。
【００３５】
また、胴部２３の円弧状の両側面には、当接部２２の後端面に近接する縦方向（図２において、胴部２３の長手方向と垂直に直交する方向）の受け溝２３ｂ、２３ｂがそれぞれ形成してある。各受け溝２３ｂは、外筒３０とシリンダ錠本体３０との組立体を鏡板２（図６）に後方から取り付ける場合に、予め鏡板２の裏側に設けた保持手段３（図８（ｂ）参照）に外筒３０を係合させるためのものである。
【００３６】
さらに、胴部２３の両側面の後端側には、シリンダ錠本体３０のデッドボルト３５を挿通するための挿通孔２３ｃ、２３ｃが互いに対向するように形成してある。シリンダ錠本体３０の施錠及び解錠状態において、これら挿通孔２３ｃに挿入されたデッドボルト３５が図中の横方向に直線運動する。
【００３７】
[シリンダ錠本体]
図４に示すように、シリンダ錠本体３０は、主として、金属製の内筒３２の前端に、大径のフランジ部３１を連成した構成となっている。フランジ部３１の正面には、鍵孔３１ａが開口しており、この鍵孔３１ａは内筒３２の内部を貫通している。このようなフランジ部３１は、シリンダ錠本体３０を外筒２０に収納したとき、外筒２０の突縁部２１と面一になる。
【００３８】
一方、内筒３２の内部には、複数のタンブラー配置溝３２ａ、３２ａ、３２ａ…が形成してあり、各タンブラー配置溝３２ａには、それぞれタンブラー３３、３３、３３…が配置してある。本実施形態では、各タンブラー３３を金属製の小さな板部材とし、その中央に鍵孔３１ａと重複する開口（図示せず）を設けた構成としてある。
【００３９】
図示しないが、各タンブラー３３の一端側は、それぞれ内筒３２を貫通して外筒２０に当接し、内筒３２を外筒２０内で回動させないようロックしている。そして、鍵孔３１ａに適合する鍵（図示せず）を挿入し、全てのタンブラー３３、３３、３３…と外筒２０との当接が同時に解除されると、内筒３２が回転するようになっている。
【００４０】
内筒３２の後端面には、駆動ピン３４が突設してあり、この駆動ピン３４は、デッドボルト３５の短手方向に形成したガイド溝３５ａと係合している。適合する鍵によって各タンブラー３３のロックが解除され、内筒３２が回転すると、この回転運動が駆動ピン３４とガイド溝３５ａとによって直線運動に変換され、デッドボルト３５が横方向に直線運動する。
【００４１】
[前方取付の手順]
次に、上記構成からなる本シリンダ錠１を、引出しの鏡板２に前方から取り付ける場合の手順について、図５〜図７を参照しつつ説明する。
【００４２】
まず、図５（ａ）に示すように、外筒２０とシリンダ錠本体３０との組立体に、アダプタ１０を装着する。外筒２０の前端側にアダプタ１０を押し込むと、各弾性被着部１２が弾性変形し、外筒２０の前端側にアダプタ１０を装着することができる。
【００４３】
図５（ｂ）に示す装着状態において、アダプタ１０の環状溝１１ｃに外筒２０の当接部２２が嵌合するとともに、アダプタ１０の各角リブ１２ａが外筒２０の各角溝２３ａに係合する。これにより、アダプタ１０と外筒２０とが強固に結合される。また、本実施形態では、アダプタ１０を外筒２０に装着したとき、アダプタ１０の前端面、外筒２０の突縁部２１の前端面、及びシリンダ錠本体３０のフランジ部３１の正面が、全て面一になるようにしてある。
【００４４】
次いで、図６に示すように、アダプタ１０を装着した本シリンダ錠１を、引出しの鏡板２に前方から取り付ける。この場合、鏡板２には、予めアダプタ１０の弾性被着部１２、１２の外径にほぼ等しい大径開口部２Ａを形成する。
【００４５】
ここで、本実施形態では、金属板である鏡板２の大径開口部２Ａ周辺を折曲加工し、鏡板２の裏側へ突出する円形の折り返し部２ａを形成してある。この折り返し部２ａの突出量は、アダプタ１０の意匠部１１の環状端面１１ａから係合爪１２ｂまでの距離（厳密には、この距離から鏡板２の板厚を差し引いた距離）とほぼ等しい高さとしてある。また、折り返し部２ａの上下には、一対の係合片２ｂ、２ｂが連成してある。
【００４６】
このような鏡板２の大径開口部２Ａに本シリンダ錠１を取り付ける場合、図７（ａ）に示すように、本シリンダ錠１を傾かせ、デッドボルト３５から先に大径開口部２Ａに挿入する。そして、デッドボルト３５を大径開口部２Ａに挿入した後、傾きを元に戻すように本シリンダ錠１を回転させ、本シリンダ錠１を大径開口部２Ａに押し込む。
【００４７】
すると、図７（ｂ）に示すように、本シリンダ錠１が大径開口部２Ａに取り付けられる。このとき、図７（ｃ）に示すように、アダプタ１０の意匠部１１の環状端面１１ａが、鏡板２の大径開口部２Ａ周辺に当接するとともに、この環状端面１１ａの近傍において、各弾性被着部１２が折り返し部２ａに保持される。また、各弾性被着部１２の各係合爪１２ｂが折り返し部２ａの端部にそれぞれ係合する。さらに、折り返し部２ａの各係合片２ｂが各弾性被着部１２の各係合凹部１２にそれぞれ係合する。この結果、本シリンダ錠１が鏡板２に堅固に固定される。
【００４８】
[後方取付の手順]
次に、上記構成からなる本シリンダ錠１を、引出しの鏡板２に後方から取り付ける場合の手順について、図８（ａ）及び（ｂ）を参照しつつ説明する。
【００４９】
本シリンダ錠１を、引出しの鏡板２に後方から取り付ける場合は、同図（ａ）に示すように、予め鏡板２に、外筒２０の突縁部２１の外径に等しい寸法の小径開口部２Ｂを形成するとともに、鏡板２の裏側に本シリンダ錠１を固定するための保持手段を設ける。この保持手段の構成は、本シリンダ錠１を堅固に固定可能あれば、特に限定されるものではない。
【００５０】
例えば、本実施形態の保持手段３は、合成樹脂製のカップ状本体の中空内に、円筒状収納部３Ａを突設した構成としてある。円筒状収納部３Ａの内径は、外筒２０の胴部２３の外径とほぼ同じ寸法となっている。そして、円筒状収納部３Ａの前端内側の左右には、一対の角形の係合爪３ａ、３ａが互いに対向して突設してある。また、円筒状収納部３Ａの前端面３ｂと、鏡板２の裏面との間には、外筒２０の当接部２２の厚さに等しい寸法の隙間が形成してある。さらに、円筒状収納部３Ａの後端部には、本シリンダ錠１のデッドボルト３５に対応する切欠部３Ｂが設けてある。
【００５１】
本シリンダ錠１を、引出しの鏡板２に後方から取り付ける場合は、保持手段３の後方から本シリンダ錠１を円筒状収納部３Ａの奥まで挿入する（図８（ａ）を参照）。すると、同図（ｂ）に示すように、外筒２０の突縁部２１が、鏡板２の小径開口部２Ｂに挿入されるとともに、外筒２０の当接部２２が、小径開口部２Ｂ周辺の鏡板２裏面と、円筒状収納部３Ａの前端面３ｂとの間に挟持される。さらに、円筒収納部３Ａの各係合爪３ａが、外筒２０の各受け溝２３ｂに係合する。これにより、本シリンダ錠１が、鏡板２の裏側に堅固に固定される。
【００５２】
[本シリンダ錠の作用効果]
以上説明したように、本実施形態に係るシリンダ錠１によれば、シリンダ錠本体３０を収納する外筒２０に、引出しの鏡板２の裏面に当接する当接部２２を設けるとともに、この当接部２２に装着可能なアダプタ１０に、鏡板２の表面に当接する意匠部１１を設けたことにより、アダプタ１０の装着時には前方取付型、アダプタ１０の非装着時には後方取付型のシリンダ錠１として用いることができる。この結果、多様化する種々の製品に本シリンダ錠１を適用することが可能となり、シリンダ錠１の共通化を図ることができる。
【００５３】
アダプタ１０の意匠部１１は、鏡板２の表面に視認可能に配設され、シリンダ錠本体３０の正面とともに本シリンダ錠１の外観を構成する。アダプタ１０が合成樹脂製であることにより、金属製のシリンダ錠本体３０と相俟って、本シリンダ錠１の外観を斬新なものとすることができる。
【００５４】
横方向に延びる角リブ１２ａと角溝２３ａとを係合させるというシンプルな構成でありながら、アダプタ１０と外筒２０とを強固に結合させると同時に、アダプタ１０の回り止めの役割を果たし、アダプタ１０及び外筒２０の一体化を図ることができる。
【００５５】
アダプタ１０に環状溝１１ｃを設けたことで、外筒２０の当接部２２をアダプタ１０との結合手段に利用することができ、本シリンダ錠１の構成をより簡単にすることが可能となる。また、環状溝１１ｃ、角リブ１２ａ及び角溝２３ａを並設したことで、アダプタ１０と外筒２０との結合力が極めて大きくなり、金属製の外筒２０の前端側に金属製のフランジ等を一体的に設けた従来の前方取付型のシリンダ錠と構造上の相違がほとんどなくなる。特に、合成樹脂製のアダプタ１０にメッキ処理を施した場合は、従来の前方取付型のシリンダ錠と外観上の相違もなくなる。
【００５６】
この結果、本シリンダ錠１は、前方取付型及び後方取付型のいずれの用途に適用した場合でも、構造、機能及び外観のいずれも従来の金属製のシリンダ錠と劣るところがないばかりか、アダプタ１０を除く主要部品の共通化を図ることができ、アダプタ１０を用いる場合は、合成樹脂の加工容易性により、構造及び外観の自由度が大幅に向上するという顕著な作用効果を奏する。
【００５７】
[アダプタの第２実施形態]
本発明のシリンダ錠に用いるアダプタは、上述した実施形態のものに限定されるものではない。アダプタは、本シリンダ錠を前方取付型とし、かつ、前方取付したときにシリンダ錠本体の鍵孔を設けた正面とともに外観を構成するものである。これら取付及び外観の観点から、アダプタの構成は種々の変更が可能である。
【００５８】
例えば、図９（ａ）及び（ｂ）に示すアダプタ４０のように、弾性被着部４２を円筒状としてもよい。この弾性被着部４２の内径は、外筒２０の胴部２３の外径とほぼ同じ寸法とし、弾性被着部４２が胴部２３の略半分を完全に覆うようになっている。弾性被着部４２の内側上下には、胴部２３の角溝２３ａ、２３ａにそれぞれ嵌合する横方向の角リブ４２ａ、４２ａがそれぞれ突設してある。
【００５９】
このようなアダプタ４０は、弾性被着部４２を弾性変形させつつ、アダプタ４０を外筒２０の前端側に押し込んで装着する。弾性被着部４２を円筒状としたことにより、一端装着した後は、弾性被着部４２が容易に変形することがなく、アダプタ４０を外筒２０の前端側に強固に被着させることができる。
【００６０】
[アダプタの第３実施形態]
例えば、図１０（ａ）及び（ｂ）に示すアダプタ５０のように、意匠部５１のデザインを段差状とすることもできる。アダプタ５０は合成樹脂製であるから、金属部品と比較して、形状、色彩、模様、質感などの外観構成要素を自由にデザインすることが可能であり、施錠対象物に前方取付した本シリンダ錠１の外観を、従来にない斬新なものとすることができる。
【００６１】
[アダプタの第４実施形態]
例えば、図１１（ａ）〜（ｃ）に示すアダプタ６０のように、上下の弾性被着部６２、６２の外側に一対の係合爪６２ｃ、６２ｃをそれぞれ突設した構成となっている。各係合爪６２ｃは、後端部を支点にして上下動可能な幅広の板状片であり、前方から後方に向かって下り傾斜している。各係合爪６２ｃの前端部と、意匠部６１の環状端面６１ａとの間隔は、図示しない施錠対象物を構成する板部材の板厚とほぼ同じ寸法としてある。なお、上述した各実施形態と同様に、各弾性被着部６２の内側には、横方向の角リブ６２ａ、６２ａがそれぞれ突設してある。
【００６２】
このようなアダプタ６０は、図５（ａ）及び（ｂ）と同様の手順、構造により外筒２０の前端側に装着する。アダプタ６０を装着したシリンダ錠１を、図示しない施錠対象物の大径開口部に前方から挿入すると、各係合爪６２ｃが下方に弾性変形して大径開口部を通過する。そして、意匠部６１の環状端面６１ａが大径開口部周辺の板部材に当接したとき、各係合爪６２ｃが元の状態に復元し、環状端面６１ａと各係合爪６２ｃとが、大径開口部周辺の板部材を挟持する。これにより、本シリンダ錠１の前方及び後方への脱落が確実に防止され、本シリンダ錠１を施錠対象物に堅固に取り付けることができる。
【符号の説明】
【００６３】
１  シリンダ錠
１０、４０、５０、６０  アダプタ
１１、５１、６１  意匠部
１１ａ、６１ａ  環状端面
１１ｂ  前端開口
１１ｃ  環状溝
１２、４２、６２  弾性被着部（係合部）
１２ａ、４２ａ  角リブ
１２ｂ  係合爪
１２ｃ  係合凹部
６２ｃ  係合爪
２０  外筒
２１  突縁部
２２  当接部
２３  胴部
２３ａ  角溝
２３ｂ  受け溝
２３ｃ  挿通孔
３０  シリンダ錠本体
３１  フランジ部
３１ａ  鍵孔
３２  内筒
３２ａ  タンブラー配置溝
３３  タンブラー
３４  駆動ピン
３５  デッドボルト
３５ａ  ガイド溝
２  引き出しの鏡板（施錠対象物を構成する板部材）
２Ａ  大径開口部
２Ｂ  小径開口部
２ａ  折り返し部
２ｂ  係合片
３  保持手段
３Ａ  円筒状収納部
３ａ  係合爪
３ｂ  前端面
３Ｂ  切欠部
【図１】
2011094410.tif 000003
【図２】
2011094410.tif 000004
【図３】
2011094410.tif 000005
【図４】
2011094410.tif 000006
【図５】
2011094410.tif 000007
【図６】
2011094410.tif 000008
【図７】
2011094410.tif 000009
【図８】
2011094410.tif 000010
【図９】
2011094410.tif 000011
【図１０】
2011094410.tif 000012
【図１１】
2011094410.tif 000013